(57)【要約】【課題】逆挿によっても、少なくとも素子の破壊等を生じさせないフレキシブルプリント基板の提供。【解決手段】プリント基板の幅方向の中心線を基準にして、複数の幅種別の信号線が対称に配置されていることで、その線幅の異なる複数の信号線については、フレキシブルプリント基板が逆挿接続されても、その複数の幅種別の信号線の配置順が同一の状態を維持するようにする。逆挿接続されても複数種別の信号線の配置順が同一の状態を維持することで、フレキシブルプリント基板を介して接続される回路間で不適切な接続や短絡が生じないようにすることができる。【選択図】図１
2008226952.tif 000002
【特許請求の範囲】
【請求項１】
コネクタに接続される複数のピン接点が形成されたプリント基板両端のピン接点部と、
プリント基板両端の上記各ピン接点部の間に形成された信号線部と、
を有するフレキシブルプリント基板において、
上記信号線部には、上記ピン接点の短絡使用数に応じて線幅の異なる複数の幅種別の信号線が形成されているとともに、上記複数の幅種別の信号線が、プリント基板の幅方向の中心線を基準にして対称となるように形成されていることを特徴とするフレキシブルプリント基板。
【請求項２】
上記信号線部が、プリント基板の上面と下面にそれぞれ独立形成されているとともに、
プリント基板両端の上記ピン接点部は、上面側の各ピン接点と下面側の各ピン接点が、互いにプリント基板を介して対向しない位置に千鳥状に配置されており、
各ピン接点がコネクタ側の各端子に接続される位置関係となるようにするために、上記プリント基板の上面と下面のうちの一方における両端の上記ピン接点部にダミー接点が形成されていることを特徴とする請求項１に記載のフレキシブルプリント基板。
【発明の詳細な説明】
【技術分野】
【０００１】
本発明はフレキシブルプリント基板の構造に関する。
【背景技術】
【０００２】
【特許文献１】実公平４−１８２３４号公報
【特許文献２】実公平１−１９８３２号公報
【特許文献３】特開２００２−１８３９２２号公報
【特許文献４】特開平１−２７５０６２号公報
【特許文献５】特開平１１−３２９６２９号公報
【特許文献６】特開２００２−９３０７３号公報
【０００３】
例えば回路基板間の配線のためにフレキシブルプリント基板が広く利用されている。図１３に回路基板１５Ｌ、１５Ｒ間をフレキシブルプリント基板９０で接続した様子を模式的に示している。回路基板１５Ｌにはコネクタ１０Ｌがマウントされ、回路基板１５Ｒにはコネクタ１０Ｒがマウントされており、フレキシブルプリント基板９０は、その両端の接点部がコネクタ１０Ｌ、１０Ｒに挿入されて接続される。
【発明の開示】
【発明が解決しようとする課題】
【０００４】
ところで、フレキシブルプリント基板９０による回路基板間のインターフェースを採る場合、信号線の幅を接続する回路に応じて異なる幅とすることがある。
図１４に一例を示す。
図１４のフレキシブルプリント基板９０は、両端のピン接点部と、各ピン接点部を結ぶ信号線を有する。ここでは５ピン構造の例を挙げており、フレキシブルプリント基板９０において図面上左側のピン接点部については、ピン接点ｆＬ１、ｆＬ２、ｆＬ３、ｆＬ４、ｆＬ５が形成されている。また図面上右側のピン接点部については、ピン接点ｆＲ１、ｆＲ２、ｆＲ３、ｆＲ４、ｆＲ５が形成されている。
なお本明細書では説明上、ピン接点ｆＬ（ｘ）とピン接点ｆＲ（ｘ）が信号線方向に対応する位置のピン接点であるとする。例えばピン接点ｆＬ１、ｆＲ１が、通常に配線される信号線の両端のピン接点である。
【０００５】
この図１４の例では、ピン接点ｆＬ１、ｆＬ２（及びｆＲ１、ｆＲ２）が、いわゆる多ピン使いの構成とされ、短絡されて使用される。
即ち信号線Ｌ１２が幅広の信号線とされ、ピン接点ｆＬ１、ｆＬ２（及びｆＲ１、ｆＲ２）が共通接点となる構造とされている。
またピン接点ｆＬ３、ｆＬ４（及びｆＲ３、ｆＲ４）も、多ピン使いの構成とされ、短絡されて使用される。即ち信号線Ｌ３４が幅広の信号線とされ、ピン接点ｆＬ３、ｆＬ４（及びｆＲ３、ｆＲ４）が共通接点となる構造とされている。
ピン接点ｆＬ５（ｆＲ５）については、１ピン使いであり、このピン接点ｆＬ５からピン接点ｆＲ５の間に、通常幅の信号線Ｌ５が形成される。
【０００６】
なお、本明細書では、信号線の記号表記としては「Ｌ」に対してピン接点の数字を付加したものとする。例えばピン接点ｆＬ５、ｆＲ５間の信号線は、ピン接点の符号の「５」を用いて「信号線Ｌ５」とする。また多ピン使いの場合は、複数の各ピン接点の数字を付加し、例えばピン接点ｆＬ１、ｆＬ２とピン接点ｆＲ１、ｆＲ２の間の信号線は、ピン接点の符号の「１」「２」を用いて「信号線Ｌ１２」とする。
【０００７】
このフレキシブルプリント基板９０に対しては、図１５のように５端子構造のコネクタ１０Ｌ、１０Ｒが、それぞれ回路基板１５Ｌ、１５Ｒ上にマウントされている。
なお図１５ではコネクタ１０Ｌ、１０Ｒのコネクタ端子ｃ１、ｃ２、ｃ３、ｃ４、ｃ５を模式的に示している。
コネクタ１０Ｌ、１０Ｒは、互いに同一構造のコネクタであるとする。このため、フレキシブルプリント基板９０により回路接続されるように各回路基板１５Ｌ、１５Ｒに装着された状態では、回路基板１５Ｌ、１５Ｒの実際の位置関係にかかわらず、コネクタ１０Ｌ、１０Ｒは図１５のように向かい合う状態となり、フレキシブルプリント基板９０から見てコネクタ端子番号の順が逆になる。このためフレキシブルプリント基板９０が装着された場合は、コネクタ１０Ｌのコネクタ端子ｃ１は、コネクタ１０Ｒのコネクタ端子ｃ５と接続されることになる。
【０００８】
そして図１４のフレキシブルプリント基板９０が接続された場合、同図からわかるように、コネクタ１０Ｌのコネクタ端子ｃ１、ｃ２、ｃ３、ｃ４、ｃ５は、それぞれフレキシブルプリント基板９０のピン接点ｆＬ１、ｆＬ２、ｆＬ３、ｆＬ４、ｆＬ５と接続され、またコネクタ１０Ｒのコネクタ端子ｃ５、ｃ４、ｃ３、ｃ２、ｃ１は、それぞれフレキシブルプリント基板９０のピン接点ｆＲ１、ｆＲ２、ｆＲ３、ｆＲ４、ｆＲ５と接続される。
従って、コネクタ１０Ｌのコネクタ端子ｃ１、ｃ２が、信号線Ｌ１２により、コネクタ１０Ｒのコネクタ端子ｃ５，ｃ４と接続される。
またコネクタ１０Ｌのコネクタ端子ｃ３、ｃ４が、信号線Ｌ３４により、コネクタ１０Ｒのコネクタ端子ｃ５，ｃ４と接続される。
またコネクタ１０Ｌのコネクタ端子ｃ５が、信号線Ｌ５により、コネクタ１０Ｒのコネクタ端子ｃ１と接続される。
【０００９】
なお図１４中（さらには後述する図１〜図４，図６〜図１１において）、ピン接点とコネクタ端子の間の矢印はフレキシブルプリント基板９０（又は１）のコネクタ１０Ｌ、１０Ｒへの装着によって成る電気的な接続関係を示す。
【００１０】
ここで多ピン使いによりフレキシブルプリント基板９０における信号線幅を太くするのは、通常、電源ライン系、モータ駆動系など、比較的大電流を流す回路間の配線が必要な場合である。
このため図１４の場合、例えば電流供給を行う回路部１１と、例えばモータ駆動回路などの回路部１２の間の配線として、幅広の信号線Ｌ１２、Ｌ３４が用いられるようにしている。
一方、制御信号その他、比較的小電流の信号の配線には、幅広の信号線は不要であり、例えば制御信号等の信号Ｓ１を伝送する回路１３、回路１４の間は、１ピン使いによる通常幅の信号線Ｌ５が用いられる。
【００１１】
このようにピン接点の短絡使用数に応じて線幅の異なる複数の信号線が形成される場合、フレキシブルプリント基板９０の「逆挿」が問題となる。
例えば図１３の状態にフレキシブルプリント基板９０をコネクタ１０Ｌ、１０Ｒに接続させる場合、フレキシブルプリント基板９０の表裏（上下面）を逆にして接続する「表裏逆挿」や、左右のピン端子部を逆にして接続する「左右逆挿」ということが発生すると、装置が正常に動作しないことになる。また場合によっては電気部品や半導体素子の破壊が生ずることもある。
【００１２】
図１４のフレキシブルプリント基板９０を表裏逆挿した場合を図１６（ａ）に示す。
この場合、コネクタ１０Ｌのコネクタ端子ｃ１、ｃ２、ｃ３、ｃ４、ｃ５は、それぞれフレキシブルプリント基板９０のピン接点ｆＬ５、ｆＬ４、ｆＬ３、ｆＬ２、ｆＬ１と接続され、またコネクタ１０Ｒのコネクタ端子ｃ５、ｃ４、ｃ３、ｃ２、ｃ１は、それぞれフレキシブルプリント基板９０のピン接点ｆＲ５、ｆＲ４、ｆＲ３、ｆＲ２、ｆＲ１と接続されることになる。
そしてこの場合、コネクタ１０Ｌ、１０Ｒの各コネクタ端子にアサインされた各回路と、信号線Ｌ１２、Ｌ３４、Ｌ５を見るとわかるように、回路部１１、１２間の正負ラインが短絡されたり、回路部１１、１２と、回路部１３，１４の間が短絡される事態が生ずる。
当然、機器は正常動作をしない。また大電流の流入により回路部１３，１４内の素子の破壊が生ずる場合もある。
【００１３】
また図１４のフレキシブルプリント基板９０を左右逆挿した場合を図１６（ｂ）に示す。即ち右側のピン接点部が左側のコネクタ１０Ｌに挿入され、左側のピン接点部が右側のコネクタ１０Ｒに挿入された場合である。
この場合、コネクタ１０Ｌのコネクタ端子ｃ１、ｃ２、ｃ３、ｃ４、ｃ５は、それぞれフレキシブルプリント基板９０のピン接点ｆＲ５、ｆＲ４、ｆＲ３、ｆＲ２、ｆＲ１と接続され、またコネクタ１０Ｒのコネクタ端子ｃ５、ｃ４、ｃ３、ｃ２、ｃ１は、それぞれフレキシブルプリント基板９０のピン接点ｆＬ５、ｆＬ４、ｆＬ３、ｆＬ２、ｆＬ１と接続されることになる。
すると上記の表裏逆挿の場合と同様、回路部１１、１２間の正負ラインが短絡されたり、回路部１１、１２と、回路部１３，１４の間が短絡される事態が生ずる。
【００１４】
例えばこれらのようなフレキシブルプリント基板９０の逆挿は、電子機器の生産工程で発生する可能性も皆無ではないが、機器の修理を行う場合に発生する可能性が高い。特に機器の一般ユーザが自分で修理或いは調整を試みてしまった場合などは、逆挿発生の可能性は高くなる。
【００１５】
本発明はこのような問題に鑑みて、フレキシブルプリント基板が逆挿されてしまっても、少なくとも素子等の破壊という事態を招かないようにすることを目的とする。さらには、逆挿があっても機器が正常動作できるようにもする。
【課題を解決するための手段】
【００１６】
本発明のフレキシブルプリント基板は、コネクタに接続される複数のピン接点が形成されたプリント基板両端のピン接点部と、プリント基板両端の上記各ピン接点部の間に形成された信号線部とを有するフレキシブルプリント基板において、上記信号線部には、上記ピン接点の短絡使用数に応じて線幅の異なる複数の幅種別の信号線が形成されているとともに、上記複数の幅種別の信号線が、プリント基板の幅方向の中心線を基準にして対称となるように形成されている。
【００１７】
また、上記信号線部が、基板の上面と下面にそれぞれ独立形成されているとともに、  プリント基板両端の上記ピン接点部は、上面側の各ピン接点と下面側の各ピン接点が、互いにプリント基板を介して対向しない位置に千鳥状に配置されている構成の場合、各ピン接点がコネクタ側の各端子に接続される位置関係となるようにするために、上記プリント基板の上面と下面のうちの一方における両端の上記ピン接点部にダミー接点が形成されている。
【００１８】
このような本発明のフレキシブルプリント基板においては、プリント基板の幅方向の中心線を基準にして、複数の幅種別の信号線が対称に配置されていることで、その線幅の異なる複数の信号線については、フレキシブルプリント基板が逆挿接続されても、その複数の幅種別の信号線の配置順が同一の状態を維持するようにされる。
幅種別とは、１ピン使用や多ピン使用に基づく信号線幅の種別のことである。
また幅方向の中心線とは、信号線数が奇数の場合は幅方向の中央の信号線に相当し、信号線数が偶数の場合は幅方向の中央の２つの信号線の間のラインに相当する。
そして逆挿接続されても複数種別の信号線の配置順が同一の状態を維持することで、フレキシブルプリント基板を介して接続される回路間で不適切な接続や短絡が生じないようにすることができる。
【発明の効果】
【００１９】
本発明によれば、フレキシブルプリント基板が表裏逆挿又は左右逆挿されて接続されても、プリント基板上の複数の幅種別の信号線の配置順が同一の状態を維持される。従って、フレキシブルプリント基板を介して接続される回路間で不適切な接続や短絡が生じることはなく、少なくとも素子の破壊等による故障を防止することができる。
また、特に片面配線構造のフレキシブルプリント基板の場合、表裏逆挿又は左右逆挿されても、正常な回路間インターフェースを実現できる。
【００２０】
また、信号線部がプリント基板の上面と下面にそれぞれ独立形成されているとともにプリント基板両端のピン接点部は、上面側の各ピン接点と下面側の各ピン接点が、互いにプリント基板を介して対向しない位置に千鳥状に配置されている構成（両面配線・千鳥接点構造）の場合、本発明によれば、左右逆挿であれば正常な回路間インターフェースを実現できる。
【発明を実施するための最良の形態】
【００２１】
以下、本発明の実施の形態としてのフレキシブルプリント基板１について第１，第２の実施の形態を説明していく。
【００２２】
＜第１の実施の形態＞
第１の実施の形態として片面配線構造のフレキシブルプリント基板１について説明する。  図１は、上記図１４と比較できる状態で本例のフレキシブルプリント基板１を模式的に示したものである。
【００２３】
フレキシブルプリント基板１は、両端のピン接点部と、各ピン接点部を結ぶ信号線を有する。ここでは５ピン構造の例を挙げており、フレキシブルプリント基板１において図面上左側のピン接点部については、ピン接点ｆＬ１、ｆＬ２、ｆＬ３、ｆＬ４、ｆＬ５が形成されている。また図面上右側のピン接点部については、ピン接点ｆＲ１、ｆＲ２、ｆＲ３、ｆＲ４、ｆＲ５が形成されている。
【００２４】
この図１の例では、ピン接点ｆＬ１、ｆＬ２（及びｆＲ１、ｆＲ２）が、多ピン使いの構成とされ、短絡されて使用される。即ち信号線Ｌ１２が幅広の信号線とされ、ピン接点ｆＬ１、ｆＬ２（及びｆＲ１、ｆＲ２）が共通接点となる構造とされている。
ピン接点ｆＬ３（ｆＲ３）については、１ピン使いであり、このピン接点ｆＬ３からピン接点ｆＲ３の間に、通常幅の信号線Ｌ３が形成される。
またピン接点ｆＬ４、ｆＬ５（及びｆＲ４、ｆＲ５）が、多ピン使いの構成とされ、短絡されて使用される。即ち信号線Ｌ４５が幅広の信号線とされ、ピン接点ｆＬ４、ｆＬ５（及びｆＲ４、ｆＲ５）が共通接点となる構造とされている。
【００２５】
即ち図１のフレキシブルプリント基板１は、信号線部として、ピン接点の短絡使用数に応じて線幅の異なる複数の幅種別の信号線が形成されている。つまり１ピン使いの信号線Ｌ３という第１の幅種別の信号線と、２ピン使いの信号線Ｌ１２，Ｌ４５という第２の幅種別の信号線が設けられている。
そして、これら複数の幅種別の信号線が、プリント基板の幅方向の中心線（この場合信号線Ｌ３）から見て対称となるように形成されている。
【００２６】
このフレキシブルプリント基板１に対しては、５端子構造のコネクタ１０Ｌ、１０Ｒが、それぞれ例えば図１５で述べたように回路基板１５Ｌ、１５Ｒ上にマウントされている。コネクタ１０Ｌ、１０Ｒは、互いに同一構造のコネクタである。
そしてフレキシブルプリント基板１が接続された場合、図１からわかるように、コネクタ１０Ｌのコネクタ端子ｃ１、ｃ２、ｃ３、ｃ４、ｃ５は、それぞれフレキシブルプリント基板１のピン接点ｆＬ１、ｆＬ２、ｆＬ３、ｆＬ４、ｆＬ５と接続され、またコネクタ１０Ｒのコネクタ端子ｃ５、ｃ４、ｃ３、ｃ２、ｃ１は、それぞれフレキシブルプリント基板１のピン接点ｆＲ１、ｆＲ２、ｆＲ３、ｆＲ４、ｆＲ５と接続される。
従って、コネクタ１０Ｌのコネクタ端子ｃ１、ｃ２が、信号線Ｌ１２により、コネクタ１０Ｒのコネクタ端子ｃ５，ｃ４と接続される。
またコネクタ１０Ｌのコネクタ端子ｃ３が、信号線Ｌ３により、コネクタ１０Ｒのコネクタ端子ｃ３と接続される。
またコネクタ１０Ｌのコネクタ端子ｃ４、ｃ５が、信号線Ｌ４５により、コネクタ１０Ｒのコネクタ端子ｃ２，ｃ１と接続される。
【００２７】
ここで図１の場合、例えば電流供給を行う回路部１１と、例えばモータ駆動回路などの回路部１２の間の配線として、幅広の信号線Ｌ１２、Ｌ４５が用いられるようにしている。
一方、比較的小電流の信号Ｓ１の配線としての回路１３、回路１４の間は、１ピン使いによる通常幅の信号線Ｌ３が用いられる。
【００２８】
このような本例のフレキシブルプリント基板１が、逆挿された場合を考える。
図１のフレキシブルプリント基板１を表裏逆挿した場合を図２（ａ）に示す。
この場合、コネクタ１０Ｌのコネクタ端子ｃ１、ｃ２、ｃ３、ｃ４、ｃ５は、それぞれフレキシブルプリント基板９０のピン接点ｆＬ５、ｆＬ４、ｆＬ３、ｆＬ２、ｆＬ１と接続され、またコネクタ１０Ｒのコネクタ端子ｃ５、ｃ４、ｃ３、ｃ２、ｃ１は、それぞれフレキシブルプリント基板９０のピン接点ｆＲ５、ｆＲ４、ｆＲ３、ｆＲ２、ｆＲ１と接続されることになる。
ところがこの場合、コネクタ１０Ｌ、１０Ｒの各コネクタ端子にアサインされた各回路と、信号線Ｌ１２、Ｌ３、Ｌ４５を見るとわかるように、各回路部の接続状態は図１と同様の状態を保っている。
つまり、回路部１１と回路部１２の接続状態と、回路部１３と回路部１４の接続状態は正常な状態であり、回路間での不適切な接続や短絡が生じることはない。
【００２９】
また図１のフレキシブルプリント基板１を左右逆挿した場合を図２（ｂ）に示す。即ち右側のピン接点部が左側のコネクタ１０Ｌに挿入され、左側のピン接点部が右側のコネクタ１０Ｒに挿入された場合である。
この場合、コネクタ１０Ｌのコネクタ端子ｃ１、ｃ２、ｃ３、ｃ４、ｃ５は、それぞれフレキシブルプリント基板９０のピン接点ｆＲ５、ｆＲ４、ｆＲ３、ｆＲ２、ｆＲ１と接続され、またコネクタ１０Ｒのコネクタ端子ｃ５、ｃ４、ｃ３、ｃ２、ｃ１は、それぞれフレキシブルプリント基板９０のピン接点ｆＬ５、ｆＬ４、ｆＬ３、ｆＬ２、ｆＬ１と接続されることになる。
するとこの場合も、コネクタ１０Ｌ、１０Ｒの各コネクタ端子にアサインされた各回路と、信号線Ｌ１２、Ｌ３、Ｌ４５を見ると、各回路部の接続状態は図１と同様の状態が保たれている。
つまり、回路部１１と回路部１２の接続状態と、回路部１３と回路部１４の接続状態は正常な状態であり、回路間での不適切な接続や短絡が生じることはない。
【００３０】
このように本例のフレキシブルプリント基板１によれば、フレキシブルプリント基板１が表裏逆挿又は左右逆挿されて接続されても、プリント基板上の複数の幅種別の信号線の配置順が同一の状態に維持される。上記のように、１ピン使いの信号線を第１の幅種別の信号線、２ピン使いの信号線を第２の幅種別の信号線と呼ぶとすると、図１の正挿状態では、図面上の上から順に、第２の幅種別，第１の幅種別，第２の幅種別という順番で信号線が配置されている。一方、図２（ａ）の表裏逆挿の場合も、図２（ｂ）の左右逆挿の場合も、図面上の上から順に、第２の幅種別，第１の幅種別，第２の幅種別という順番が保たれている。つまりコネクタ１０Ｌ、１０Ｒから見れば、フレキシブルプリント基板１は逆挿されても正挿の場合と同様の信号線配置となる。
【００３１】
従ってこの場合、フレキシブルプリント基板の表裏逆挿又は左右逆挿によって、接続される回路間で不適切な接続や短絡が生じて素子の破壊等を生じさせることがなくなるという効果が得られる。そしてさらには、表裏逆挿又は左右逆挿されても、正常な回路間インターフェースを実現でき、装置を正常動作させることができるという効果も得られる。またこのことは、フレキシブルプリント基板１について正挿、逆挿という考えをなくし、挿入方向をフリーとすることにもなる。これは電子機器の製造工程、或いは修理の際の作業性の向上にもつながる。
【００３２】
本例のフレキシブルプリント基板１としての他の具体例を図３，図４に挙げておく。
図３は、回路４１Ａ〜４７Ａを、それぞれ回路４１Ｂ〜４７Ｂに電気的に接続する構成として、１１ピン構造のフレキシブルプリント基板１、コネクタ１０Ｌ、１０Ｒの例を挙げている。回路４１Ａ〜４７Ａからの配線は、図のようにコネクタ１０Ｌの各コネクタ端子ｃ１〜ｃ１１に接続される。また回路４１Ｂ〜４７Ｂからの配線は、図のようにコネクタ１０Ｒの各コネクタ端子ｃ１〜ｃ１１に接続される。
【００３３】
この例では、回路４１Ａと回路４１Ｂの接続のために、ピン接点ｆＬ１（及びｆＲ１）が、１ピン使いの構成とされ、通常幅の信号線Ｌ１が形成されている。
また回路４２Ａと回路４２Ｂの接続のために、ピン接点ｆＬ２、ｆＬ３（及びｆＲ２、ｆＲ３）が多ピン使い（２ピン使い）の構成とされ、信号線Ｌ２３により短絡されて使用される。
また回路４３Ａと回路４３Ｂの接続のために、ピン接点ｆＬ４（及びｆＲ４）が、１ピン使いの構成とされ、信号線Ｌ４が形成されている。
また回路４４Ａと回路４４Ｂの接続のために、ピン接点ｆＬ５、ｆＬ６、ｆＬ７（及びｆＲ５、ｆＲ６、ｆＬ７）が多ピン使い（３ピン使い）の構成とされ、信号線Ｌ５６７により短絡されて使用される。
また回路４５Ａと回路４５Ｂの接続のために、ピン接点ｆＬ８（及びｆＲ８）が、１ピン使いの構成とされ、信号線Ｌ８が形成されている。
また回路４６Ａと回路４６Ｂの接続のために、ピン接点ｆＬ９、ｆＬ１０（及びｆＲ９、ｆＲ１０）が多ピン使い（２ピン使い）の構成とされ、信号線Ｌ９１０により短絡されて使用される。
また回路４７Ａと回路４７Ｂの接続のために、ピン接点ｆＬ１１（及びｆＲ１１）が、１ピン使いの構成とされ、信号線Ｌ１１が形成されている。
【００３４】
この場合もフレキシブルプリント基板１は、信号線部として、ピン接点の短絡使用数に応じて線幅の異なる複数の幅種別の信号線が形成されている。つまり１ピン使いの信号線Ｌ１，Ｌ４，Ｌ８、Ｌ１１という第１の幅種別の信号線と、２ピン使いの信号線Ｌ２３，Ｌ９１０という第２の幅種別の信号線と、３ピン使いの信号線Ｌ５６７という第３の幅種別の信号線が設けられている。
【００３５】
そして、これら複数の幅種別の信号線が、プリント基板の幅方向の中心線（この場合、信号線Ｌ５６７の中心線）にから見て対称となるように形成されている。
このためフレキシブルプリント基板１が表裏逆挿又は左右逆挿されて接続されても、プリント基板上の複数の幅種別の信号線の配置順が同一の状態に維持される。即ち図３の正挿状態では、図面上の上から順に、第１の幅種別，第２の幅種別，第１の幅種別，第３の幅種別，第１の幅種別，第２の幅種別，第１の幅種別という順番で信号線が配置されているが、表裏逆挿或いは左右逆挿されたとしてもこの順番が保たれるため、コネクタ１０Ｌ、１０Ｒから見れば、フレキシブルプリント基板１は逆挿されても正挿の場合と同様の信号線配置となる。従って、上記図１、図２で説明したとおりの効果が得られる。
【００３６】
図４は、回路３１Ａ〜４０Ａを、それぞれ回路３１Ｂ〜４０Ｂに電気的に接続する構成として、１２ピン構造のフレキシブルプリント基板１、コネクタ１０Ｌ、１０Ｒの例を挙げている。回路３１Ａ〜４０Ａからの配線は、図のようにコネクタ１０Ｌの各コネクタ端子ｃ１〜ｃ１１に接続される。また回路３１Ｂ〜４０Ｂからの配線は、図のようにコネクタ１０Ｒの各コネクタ端子ｃ１〜ｃ１１に接続される。
【００３７】
この例では、回路３１Ａと回路３１Ｂの接続のために、ピン接点ｆＬ１（及びｆＲ１）が、１ピン使いの構成とされ、信号線Ｌ１が形成されている。
また回路３２Ａと回路３２Ｂの接続のために、ピン接点ｆＬ２（及びｆＲ２）が、１ピン使いの構成とされ、信号線Ｌ２が形成されている。
また回路３３Ａと回路３３Ｂの接続のために、ピン接点ｆＬ３（及びｆＲ３）が、１ピン使いの構成とされ、信号線Ｌ３が形成されている。
また回路３４Ａと回路３４Ｂの接続のために、ピン接点ｆＬ４（及びｆＲ４）が、１ピン使いの構成とされ、信号線Ｌ４が形成されている。
また回路３５Ａと回路３５Ｂの接続のために、ピン接点ｆＬ５、ｆＬ６（及びｆＲ５、ｆＲ６）が多ピン使い（２ピン使い）の構成とされ、信号線Ｌ５６により短絡されて使用される。
また回路３６Ａと回路３６Ｂの接続のために、ピン接点ｆＬ７、ｆＬ８（及びｆＲ７、ｆＲ８）が多ピン使い（２ピン使い）の構成とされ、信号線Ｌ７８により短絡されて使用される。
また回路３７Ａと回路３７Ｂの接続のために、ピン接点ｆＬ９（及びｆＲ９）が、１ピン使いの構成とされ、信号線Ｌ９が形成されている。
また回路３８Ａと回路３８Ｂの接続のために、ピン接点ｆＬ１０（及びｆＲ１０）が、１ピン使いの構成とされ、信号線Ｌ１０が形成されている。
また回路３９Ａと回路３９Ｂの接続のために、ピン接点ｆＬ１１（及びｆＲ１１）が、１ピン使いの構成とされ、信号線Ｌ１１が形成されている。
また回路４０Ａと回路４０Ｂの接続のために、ピン接点ｆＬ１２（及びｆＲ１２）が、１ピン使いの構成とされ、信号線Ｌ１２が形成されている。
【００３８】
この場合もフレキシブルプリント基板１は、信号線部として、ピン接点の短絡使用数に応じて線幅の異なる複数の幅種別の信号線が形成されている。つまり１ピン使いの信号線Ｌ１，Ｌ２，Ｌ３，Ｌ４，Ｌ９，Ｌ１０，Ｌ１１，Ｌ１２という第１の幅種別の信号線と、２ピン使いの信号線Ｌ５６，Ｌ７８という第２の幅種別の信号線が設けられている。
そして、これら複数の幅種別の信号線が、プリント基板の幅方向の中心線（この場合、信号線Ｌ５６とＬ７８の間の線）にから見て対称となるように形成されている。
このためフレキシブルプリント基板１が表裏逆挿又は左右逆挿されて接続されても、プリント基板上の複数の幅種別の信号線の配置順が同一の状態に維持される。即ち図３の正挿状態では、図面上の上から順に、第１の幅種別，第１の幅種別，第１の幅種別，第１の幅種別，第２の幅種別，第２の幅種別，第１の幅種別，第１の幅種別，第１の幅種別，第１の幅種別という順番で信号線が配置されているが、表裏逆挿或いは左右逆挿されたとしてもこの順番が保たれるため、コネクタ１０Ｌ、１０Ｒから見れば、フレキシブルプリント基板１は逆挿されても正挿の場合と同様の信号線配置となる。従って、上記図１、図２で説明したとおりの効果が得られる。
【００３９】
＜第２の実施の形態＞
第２の実施の形態として、両面配線・千鳥接点構造のフレキシブルプリント基板１について説明する。なお、この第２の実施の形態では、第１の実施の形態と同様、複数の幅種別の信号線がプリント基板の幅方向の中心線を基準にして対称となるように形成されるようにするが、これに加えてダミー接点を設けるようにするものである。
ダミー接点は、両面配線・千鳥接点構造のフレキシブルプリント基板にとって有効な構成となるものであるが、まずその事情を図５，図６，図７の参考例により説明する。
【００４０】
図５（ａ）は、両面配線・千鳥接点構造のフレキシブルプリント基板９１と、それに対応して回路基板１５Ｌ、１５Ｒ上にマウントされたコネクタ１０Ｌ、１０Ｒを示している。
なお図５（ａ）ではコネクタ１０Ｌ、１０Ｒのコネクタ端子ｃ１〜ｃ１０を模式的に示している。
フレキシブルプリント基板１においては、コネクタ１０Ｌ側のピン接点部として、上面側にピン接点ｆＬ２，ｆＬ４，ｆＬ６，ｆＬ８，ｆＬ１０が形成され、下面側に破線で示すピン接点ｆＬ１，ｆＬ３，ｆＬ５，ｆＬ７，ｆＬ９が形成されている。
またコネクタ１０Ｒ側のピン接点部として、上面側にピン接点ｆＲ２，ｆＲ４，ｆＲ６，ｆＲ８，ｆＲ１０が形成され、下面側に破線で示すピン接点ｆＲ１，ｆＲ３，ｆＲ５，ｆＲ７，ｆＲ９が形成されている。
そしてプリント基板両端の上記各ピン接点部は、上面側の各ピン接点と下面側の各ピン接点が、互いにプリント基板を介して対向しない位置に千鳥状に配置されている。図５（ｂ）には、フレキシブルプリント基板９１の左側のピン接点ｆＬ１〜ｆＬ１０を、その挿入先のコネクタ１０Ｌ側から見た状態として、千鳥配置状態を模式的に示している。
【００４１】
このようなピン接点部に対応して、コネクタ１０Ｌ、１０Ｒも、図のように、コネクタ端子ｃ１〜ｃ１０が上下面に千鳥状に配置されている。
なおコネクタ１０Ｌ、１０Ｒは、互いに同一構造のコネクタであるとする。このため、フレキシブルプリント基板９１により回路接続されるように各回路基板１５Ｌ、１５Ｒに装着された状態では、回路基板１５Ｌ、１５Ｒの実際の位置関係にかかわらず、コネクタ１０Ｌ、１０Ｒは図５のように向かい合う状態となり、フレキシブルプリント基板９０から見てコネクタ端子番号の順及び千鳥状の位置関係が逆になる。
【００４２】
そして、このように両面配線・千鳥接点構造のフレキシブルプリント基板９１の両端のピン接点部に対して、同一構造のコネクタ１０Ｌ、１０Ｒを用いると、配線不能という事態が生ずることになる。この状態を図６に示す。
【００４３】
図６に示すように、フレキシブルプリント基板９１が接続された場合、コネクタ１０Ｌの上側のコネクタ端子ｃ２、ｃ４、ｃ６、ｃ８、ｃ１０は、それぞれフレキシブルプリント基板９１の上側のピン接点ｆＬ２、ｆＬ４、ｆＬ６、ｆＬ８、ｆＬ１０と接続され、またコネクタ１０Ｌの下側のコネクタ端子ｃ１、ｃ３、ｃ５、ｃ７、ｃ９は、それぞれ下側のピン接点ｆＬ１、ｆＬ３、ｆＬ５、ｆＬ７、ｆＬ９と接続される。
ところが、コネクタ１０Ｒ側をみると、上側のコネクタ端子ｃ２、ｃ４、ｃ６、ｃ８、ｃ１０に対して、フレキシブルプリント基板９１の下側のピン接点ｆＲ９、ｆＲ７、ｆＲ５、ｆＲ３、ｆＲ１が対応する位置関係となる。また下側のコネクタ端子ｃ１、ｃ３、ｃ５、ｃ７、ｃ９に対して、フレキシブルプリント基板９１の上側のピン接点ｆＲ１０、ｆＲ８、ｆＲ６、ｆＲ４、ｆＲ２が対応する位置関係となる（図５のコネクタ１０Ｒとピン接点ｆＲ１〜ｆＲ１０の位置関係を参照されたい）。
つまり、フレキシブルプリント基板９１の右側のピン接点ｆＲ１〜ｆＲ１０は、いずれもコネクタ１０Ｒの各コネクタ端子ｃ１〜ｃ１０に接続されない状態となる。結局、回路７０Ａ〜７９Ａは、それぞれ回路７０Ｂ〜７９Ｂと電気的に接続されない。
【００４４】
このような接続不能を解消するには、図７のようにフレキシブルプリント基板９１にスルーホールＨを設け、上下面の信号線配線を逆転させる必要がある。
例えば上面側の信号線Ｌ１０については、その線方向中央付近でスルーホールＨにより下面側に導く。そしてピン接点ｆＲ１０を下面側とする。信号線Ｌ８，Ｌ６，Ｌ４，Ｌ２についても同様とする。
また下面側の信号線Ｌ９については、その線方向中央付近でスルーホールＨにより上面側に導く。そしてピン接点ｆＲ９を上面側とする。信号線Ｌ７，Ｌ５，Ｌ３，Ｌ１についても同様とする。
このようにしてすることで、フレキシブルプリント基板９１の右側のピン接点ｆＲ１〜ｆＲ１０は、それぞれコネクタ端子ｃ１０〜ｃ１と接続可能となり、図示する配線により、回路７０Ａ〜７９Ａは、それぞれ回路７０Ｂ〜７９Ｂと電気的に接続される。
しかしながら、スルーホールを設け、信号線を上下逆転させる構成を採ることで、フレキシブルプリント基板９１としては製造コストが大幅にアップするとともに、製造効率も著しく低下する。
【００４５】
そこで本例では、スルーホールを使用しないストレート配線のフレキシブルプリント基板として、図６のような接続不能を解消する。
このために図８のようにフレキシブルプリント基板１にダミー接点を設ける。
図８のフレキシブルプリント基板１では、左側のピン接点部において、下面側にピン接点ｆＬ１、ｆＬ３、ｆＬ５、ｆＬ７、ｆＬ９を形成し、上面側にピン接点ｆＬ２、ｆＬ４、ｆＬ６、ｆＬ８とダミー接点ｆＬｄｍを形成している。
また右側のピン接点部において、下面側にピン接点ｆＲ１、ｆＲ３、ｆＲ５、ｆＲ７、ｆＲ９を形成し、上面側にピン接点ｆＲ２、ｆＲ４、ｆＲ６、ｆＲ８とダミー接点ｆＲｄｍを形成している。
２つのダミー接点ｆＬｄｍ、ｆＲｄｍは、上面側において対角線上となる位置に形成するとともに、これらダミー接点ｆＬｄｍ、ｆＲｄｍについては信号線を形成しない。
【００４６】
この場合、図のように、コネクタ１０Ｌ側のコネクタ端子ｃ１〜ｃ９は、それぞれピン接点ｆＬ１〜ｆＬ９と接続され、コネクタ端子ｃ１０にはダミー接点ｆＬｄｍが接続されることになる。
一方、コネクタ１０Ｒ側をみてみると、上面側のダミー接点ｆＲｄｍが、上側端子であるコネクタ端子ｃ１０に対応する位置となり、全体の位置関係が幅方向にずれる。このため上側のコネクタ端子ｃ２、ｃ４、ｃ６、ｃ８に対して、フレキシブルプリント基板１の上側のピン接点ｆＲ８、ｆＲ６、ｆＲ４、ｆＲ２が対応する位置関係となる。
また下側のコネクタ端子ｃ１、ｃ３、ｃ５、ｃ７、ｃ９に対して、フレキシブルプリント基板１の下側のピン接点ｆＲ９、ｆＲ７、ｆＲ５、ｆＲ３、ｆＲ１が対応する位置関係となる。
つまり、フレキシブルプリント基板１の右側のピン接点ｆＲ１〜ｆＲ９は、それぞれコネクタ１０Ｒ側のコネクタ端子ｃ９〜ｃ１と適正に接続される。従ってスルーホールを設けなくとも、図示する配線により、回路７１Ａ〜７９Ａは、それぞれ回路７１Ｂ〜７９Ｂと電気的に接続できることになる。
【００４７】
ここまで、本例の特徴としてのダミー接点ｆＬｄｍ、ｆＲｄｍの意味について述べたが、このように両面配線・千鳥接点構造であってダミー接点ｆＬｄｍ、ｆＲｄｍを有する第２の実施の形態の本例のフレキシブルプリント基板１として、他ピン使いを行った例を図９に示す。
【００４８】
図９のフレキシブルプリント基板１は、コネクタ１０Ｌ側のピン接点部として、上面側にピン接点ｆＬ２，ｆＬ４，ｆＬ６，ｆＬ８、及びダミー接点ｆＬｄｍが形成され、下面側に破線で示すピン接点ｆＬ１，ｆＬ３，ｆＬ５，ｆＬ７，ｆＬ９が形成されている。
またコネクタ１０Ｒ側のピン接点部として、上面側にピン接点ｆＲ２，ｆＲ４，ｆＲ６，ｆＲ８、及びダミー接点ｆＲｄｍが形成され、下面側に破線で示すピン接点ｆＲ１，ｆＲ３，ｆＲ５，ｆＲ７，ｆＲ９が形成されている。
そしてプリント基板両端の上記各ピン接点部は、上面側の各ピン接点と下面側の各ピン接点が、互いにプリント基板を介して対向しない位置に千鳥状に配置されている。
【００４９】
対角線位置に配置した２つのダミー接点ｆＬｄｍ、ｆＲｄｍを有することにより、ピン接点ｆＬ１〜ｆＬ９とコネクタ１０Ｌのコネクタ端子ｃ１〜ｃ９の接続、及びピン接点ｆＲ１〜ｆＲ９とコネクタ１０Ｒのコネクタ端子ｃ１〜ｃ９の接続は、それぞれ図のとおり適切に行われる。
【００５０】
図１０には、図９のフレキシブルプリント基板１及びコネクタ１０Ｌ、１０Ｒを、上面側と下面側に分けて示した。
図９，図１０に示す本例においては、まず上面側では、ピン接点ｆＬ８（ｆＲ８）については、１ピン使いであり、このピン接点ｆＬ８からピン接点ｆＲ８の間に、通常幅の信号線Ｌ８が回路８１Ａ、８１Ｂ間の配線として形成される。
ピン接点ｆＬ６、ｆＬ４（及びｆＲ６、ｆＲ４）が、多ピン使いの構成とされ、短絡されて使用される。即ち信号線Ｌ４６が幅広の信号線とされ、ピン接点ｆＬ６、ｆＬ４（及びｆＲ６、ｆＲ４）が共通接点となる構造とされている。信号線Ｌ４６が回路８２Ａ、８２Ｂ間の配線となる。
ピン接点ｆＬ２（ｆＲ２）については、１ピン使いであり、このピン接点ｆＬ２からピン接点ｆＲ２の間に、通常幅の信号線Ｌ２が回路８３Ａ、８３Ｂ間の配線として形成される。
【００５１】
また下面側では、ピン接点ｆＬ９、ｆＬ７（及びｆＲ９、ｆＲ７）が、多ピン使いの構成とされ、短絡されて使用される。即ち信号線Ｌ７９が幅広の信号線とされ、ピン接点ｆＬ９、ｆＬ７（及びｆＲ９、ｆＲ７）が共通接点となる構造とされている。信号線Ｌ７９が回路８４Ａ、８４Ｂ間の配線となる。
ピン接点ｆＬ５（ｆＲ５）については、１ピン使いであり、このピン接点ｆＬ５からピン接点ｆＲ５の間に、通常幅の信号線Ｌ５が回路８５Ａ、８５Ｂ間の配線として形成される。
またピン接点ｆＬ３、ｆＬ１（及びｆＲ３、ｆＲ１）が、多ピン使いの構成とされ、短絡されて使用される。即ち信号線Ｌ１３が幅広の信号線とされ、ピン接点ｆＬ３、ｆＬ１（及びｆＲ３、ｆＲ１）が共通接点となる構造とされている。信号線Ｌ１３が回路８６Ａ、８６Ｂ間の配線となる。
【００５２】
即ちこの図１０（図９）のフレキシブルプリント基板１は、信号線部として、ピン接点の短絡使用数に応じて線幅の異なる複数の幅種別の信号線が形成されている。つまり１ピン使いの信号線Ｌ８，Ｌ２，Ｌ５という第１の幅種別の信号線と、２ピン使いの信号線Ｌ４６，Ｌ７９，Ｌ１３という第２の幅種別の信号線が設けられている。
そして、上面側、下面側とも、これら複数の幅種別の信号線が、プリント基板の幅方向の中心線（上面側では信号線Ｌ４６の中央ライン、下面側では信号線Ｌ５）にから見て対称となるように形成されている。
【００５３】
このような本例のフレキシブルプリント基板１が、左右逆挿された場合を図１１に示す。
この場合、コネクタ１０Ｌの上側のコネクタ端子ｃ１０、ｃ８、ｃ６、ｃ４、ｃ２は、それぞれフレキシブルプリント基板９０のダミー接点ｆＲｄｍ、ピン接点ｆＲ２、ｆＲ４、ｆＲ６、ｆＲ８と接続され、下側のコネクタ端子ｃ９、ｃ７、ｃ５、ｃ３、ｃ１は、それぞれピン接点ｆＲ１、ｆＲ３、ｆＲ５、ｆＲ７、ｆＲ９と接続される。
またコネクタ１０Ｒの上側のコネクタ端子ｃ２、ｃ４、ｃ６、ｃ８、ｃ１０は、それぞれフレキシブルプリント基板９０のピン接点ｆＬ２、ｆＬ４、ｆＬ６、ｆＬ８、ダミー接点ｆＬｄｍと接続され、下側のコネクタ端子ｃ９、ｃ７、ｃ５、ｃ３、ｃ１は、それぞれピン接点ｆＬ１、ｆＬ３、ｆＬ５、ｆＬ７、ｆＬ９と接続される。
【００５４】
ところがこの場合、コネクタ１０Ｌ、１０Ｒの各コネクタ端子にアサインされた各回路と、信号線Ｌ２、Ｌ４６、Ｌ８、Ｌ１３、Ｌ５、Ｌ７９を見るとわかるように、各回路の接続状態は図１０と同様の状態を保っている。
つまり、回路８１Ａ〜８６Ａのそれぞれと、回路８１Ｂ〜８６Ｂのそれぞれとの接続状態は正常な状態であり、回路間での不適切な接続や短絡が生じることはない。
【００５５】
なお、図１０のフレキシブルプリント基板１を表裏逆挿した場合を図１２に示すが、この場合、フレキシブルプリント基板１の下面側のピン接点ｆＬ１、ｆＬ３、ｆＬ５、ｆＬ７、ｆＬ９が、コネクタ１０Ｌ側の上側のコネクタ端子ｃ１０、ｃ８、ｃ６、ｃ４、ｃ２に対応する位置関係となる。また、上面側のピン接点ｆＬ２、ｆＬ４、ｆＬ６、ｆＬ８、ダミー接点ｆＬｄｍが、コネクタ１０Ｌ側の下側のコネクタ端子ｃ９、ｃ７、ｃ５、ｃ３、ｃ１に対応する位置関係となる。つまり電気的な接続がなされない。
コネクタ１０Ｒ側も同様、上下面でのピン接点とコネクタ端子の位置関係により電気的な接続がなされない状態となる。
【００５６】
つまり、図９，図１０に示す第２の実施の形態のフレキシブルプリント基板１は、ダミー接点ｆＬｄｍ、ｆＲｄｍにより、両面配線・千鳥接点構造のフレキシブルプリント基板１による適切な接続をストレート配線で実現するとともに、左右逆挿しても、回路間の正常な接続状態維持する。但し、表裏逆挿した場合は、接続がなされないことで、装置の正常な動作は実現されないが、少なくとも回路間の不適切な接続や短絡を生じさせないため、素子の破壊などは発生させないものとなる。
なお、図９，図１０では、上下両面が、他ピン使いによる幅広の信号線を有する例としたが、一方の面のみが他ピン使いによる幅広の信号線を有する構成も、本発明において想定される。また、フレキシブルプリント基板１のピン接点数、多ピン使用のパターンなどは、上記例に限られず非常に多様に考えられる。
【図面の簡単な説明】
【００５７】
【図１】本発明の第１の実施の形態のフレキシブルプリント基板の説明図である。
【図２】第１の実施の形態のフレキシブルプリント基板の逆挿状態の説明図である。
【図３】第１の実施の形態のフレキシブルプリント基板の構成例の説明図である。
【図４】第１の実施の形態のフレキシブルプリント基板の構成例の説明図である。
【図５】両面配線・千鳥接点構造のフレキシブルプリント基板とコネクタの説明図である。
【図６】両面配線・千鳥接点構造のフレキシブルプリント基板によって接続不能となる場合の説明図である。
【図７】両面配線・千鳥接点構造のフレキシブルプリント基板でスルーホールを設けた例の説明図である。
【図８】実施の形態の両面配線・千鳥接点構造のフレキシブルプリント基板にダミー接点を設けた構成の説明図である。
【図９】第２の実施の形態のフレキシブルプリント基板の説明図である。
【図１０】第２の実施の形態のフレキシブルプリント基板の説明図である。
【図１１】第２の実施の形態のフレキシブルプリント基板の左右逆挿状態の説明図である。
【図１２】第２の実施の形態のフレキシブルプリント基板の表裏状態の説明図である。
【図１３】フレキシブルプリント基板による回路基板接続の説明図である。
【図１４】従来のフレキシブルプリント基板の説明図である。
【図１５】フレキシブルプリント基板とコネクタの説明図である。
【図１６】従来のフレキシブルプリント基板の逆挿状態の説明図である。
【符号の説明】
【００５８】
１  フレキシブルプリント基板、２  １０Ｌ，１０Ｒ  コネクタ、ｆＬ１〜ｆＬ１２，ｆＲ１〜ｆＲ１２  ピン接点、ｃ１〜ｃ１２  コネクタ端子
【図１】
2008226952.tif 000003
【図２】
2008226952.tif 000004
【図３】
2008226952.tif 000005
【図４】
2008226952.tif 000006
【図５】
2008226952.tif 000007
【図６】
2008226952.tif 000008
【図７】
2008226952.tif 000009
【図８】
2008226952.tif 000010
【図９】
2008226952.tif 000011
【図１０】
2008226952.tif 000012
【図１１】
2008226952.tif 000013
【図１２】
2008226952.tif 000014
【図１３】
2008226952.tif 000015
【図１４】
2008226952.tif 000016
【図１５】
2008226952.tif 000017
【図１６】
2008226952.tif 000018